Podtech/llm-jp-corpus-v4-ja_patent huggingface dataset:
(57)【要約】【課題】この発明は微量の薬液の長期輸液注入ができる装置間連携輸液注入機能付き輸液装置に関するものである。【解決手段】この発明は、輸液装置を通信ラインで結び、１台目の輸液装置の注入を開始し、そして注入が終了した時点で、その時の設定値、計算結果等のデータを次の輸液装置に転送し、次の輸液装置でそのデータをもとに注入すべき設定値を計算し注入を開始するプログラムＩＣを輸液装置内部に装備する。【選択図】図１
2004097757.tif 000002
【特許請求の範囲】
【請求項１】
（イ）お互いの装置が通信ライン４でつながっているか確認する。
（ロ）輸液装置Ａ１を動作開始すると輸液装置Ｂ２に動作開始信号を送る。
（ハ）輸液装置Ｂ２は動作開始信号を受け取り、薬液注入の連携を行う信号を輸液装置Ａ１に送る。
（ニ）輸液装置Ａ１は注入量、予定量、積算量、その他輸液に関するデータを輸液装置Ｂ２に送る。
（ホ）輸液装置Ｂは受け取ったデータを注入すべき設定値を計算し、保存する。
（ヘ）輸液装置Ａが動作中は（ハ）、（ニ）を繰り返す。
（ト）輸液装置Ａが終了すると、輸液装置Ｂが動作開始し、輸液装置Ａ１に動作開始信号を送る。
（チ）輸液装置Ａ１は動作開始信号を受け取り、薬液注入の連携を行う信号を輸液装置Ｂ２に送る。
（リ）輸液装置Ｂ２は注入量、予定量、積算量、その他輸液に関するデータを輸液装置Ａ１に送る。
以上のように装置するプログラムＩＣを輸液装置内部に装備することを特徴とする装置間連携長期薬液注入機能付き輸液装置。
【請求項２】
通信ライン４がＰＨＳ通信である請求項１の装置間連携長期薬液注入機能
付き輸液装置。
【発明の詳細な説明】
【０００１】
【発明に属する技術分野】
本発明は、複数台の輸液装置Ａ１、輸液装置Ｂ２、輸液装置Ｃ３を通信ライン４で結び、まず輸液装置Ａ１で薬液の注入を開始し、注入が終わると自動的に次に控える輸液装置Ｂ２が動きだす長期の薬液注入を行う輸液装置に関するもので、一般に行われている１台の輸液装置で薬液を人が交換し、輸液を続ける方法よりも脈流が少なく、患者の負担を軽減できる安定した装置間連携長期薬液注入機能付き輸液装置に関するものである。
【０００２】
【従来の技術】
現在の輸液装置における微量の薬液を長期に渡り注入する場合の注入方法は、輸液装置１台で薬液の入った容器の入れ替えにより薬液注入を行っているが、この方法であると容器の入れ替え時に、薬液の注入が一時中断し、患者が危険におかされる場合がある。しかも、新たな注入開始により脈流などが起こり、体内薬液濃度が急変する恐れがある。又故障が原因で停止した時等、生命に危険が及ぶ場合バックアップ用の機器を準備しているが、正常な場合使用されないので安定注入には寄与していない。
【０００３】
【発明が解決しようとする課題】
本発明は、その欠点を除いて、微量の薬液を長期に渡り連続に注入する、安定した輸液装置である。
【０００４】
【課題を解決するための手段】
いま、その手段を第１図の流れ図に基づいて説明すると、
（イ）まず、お互いの装置が通信ライン４でつながっているか確認する。
（ロ）輸液装置Ａ１を動作開始すると輸液装置Ｂ２に動作開始信号を送る。
（ハ）輸液装置Ｂ２は動作開始信号を受け取り、薬液注入の連携を行う信号を輸液装置Ａ１に送る。
（ニ）輸液装置Ａ１は注入量、予定量、積算量、その他輸液に関するデータを輸液装置Ｂ２に送る。
（ホ）輸液装置Ｂは受け取ったデータを注入すべき設定値を計算し、保存する。
（ヘ）輸液装置Ａが動作中は（ハ）、（ニ）を繰り返す。
（ト）輸液装置Ａが終了すると、輸液装置Ｂが動作開始し、輸液装置Ａ１に動作開始信号を送る。
（チ）輸液装置Ａ１は動作開始信号を受け取り、薬液注入の連携を行う信号を輸液装置Ｂ２に送る。
（リ）輸液装置Ｂ２は注入量、予定量、積算量、その他輸液に関するデータを輸液装置Ａ１に送る。
以上のように装置するプログラムＩＣを輸液装置内部に装備する。
【０００５】
【発明の実施の形態】
次に本発明の実施の形態を述べると、輸液装置Ａ１、輸液装置Ｂ２、輸液装置Ｃ３を通信ライン４で結び、１台目の輸液装置Ａ１の注入を開始し、そして注入が終了した時点、又は注入途中で、その時の設定値、計算結果等のデータを次の輸液装置に転送し、次の輸液装置でそのデータをもとに注入すべき設定値を計算し注入を開始する。これ以降の輸液装置Ｃ３は前述の形態の繰り返しである。
【０００６】
なお、本発明の実施に当たって次の如き事ができる。
（ａ）通信ライン４をケーブルではなく、ＰＨＳ端末にすることができる。
【０００７】
【発明の効果】
したがって、患者にとって負担が少なく、又操作者にも負担が少ない安定した連携多量薬液注入機能付き輸液装置である。
【図面の簡単な説明】
【図１】本発明のプログラムＩＣ流れ図
【図２】本発明の使用環境斜視図
【符号の説明】
１は輸液装置Ａ
２は輸液装置Ｂ
３は輸液装置Ｃ
４は通信ライン
５は薬液容器Ａ
６は薬液容器Ｂ
７は薬液容器Ｃ
８は輸液チューブ選択器
９は輸液チューブ
１０は生体
【図１】
2004097757.tif 000003
【図２】
2004097757.tif 000004
(57)【要約】　　　（修正有）【課題】靴等を履いた状態で足指先の湿気、臭いを吸収したり水虫等の治療や芳香発散に用いる用具として簡便で違和感のない衛生リングを提供するものである。アクセサリー的要素も取り入れるためリングの色彩をカラフルにする。【解決手段】吸湿吸臭性と適度な弾力性のある素材で作られた衛生的でカラフルなリングを必要に応じ各足指の陥凹部にはめこむことを特徴とする。薬剤芳香剤は、患部に直接又はリングに塗布吸収させて使用する。【選択図】　　図２
2004097759.tif 000002
【特許請求の範囲】
【請求項１】
吸湿性、吸臭性と適度な弾力性をもつ素材で作られた足指にはめこむリング　を提供する。
【請求項２】
リングに衛生的な処置をほどこす。
【請求項３】
リングを足指先のアクセリー品としても兼用可能にするためその色彩を多様かつカラフルにする。
【発明の詳細な説明】
【０００１】
【発明の属する技術分野】
イ　この発明は足指に吸湿、吸臭性のあるリングをはめこみ指足先のむれや　いやな臭いを防ぐ衛生具に関するものである。
ロ　このリングに水虫等の外用薬や芳香剤を湿布又はしみこませ　その効用を持続させる補助具に関するものである。
ハ　装身具の一種として足指先のアクセサリーにも併用することが出来るものである。
【０００２】
【従来の技術】
従来には包帯や足袋（各指先が別れているもの）足指先付け根の前部分を切断した形態のものを利用して来た。
【０００３】
【発明が解決しようとする課題】
従来のものは次のような欠点があった。
イ　装着するのに手間がかかり５本の足指すべてにはめこむので無駄が多い。
ロ　かさばるので靴と皮膚に無駄な摩擦がかかる。
ハ　見た目が粗野である。
本発明は以上の欠点を解決する次の利点がある。
イ　リングが伸縮可能なため装着が簡便であり必要な足指だけにはめるので無駄がない。
ロ　個々のサイズに関係なくフィットさせることができる。
ハ　このリングが納まるのは中足趾骨関節部にあたるため靴等を履いた時にも違和感が生じない。
ニ　リングの色調を選ぶことにより足指部分にアクセサリー的要素を加味することが出来る。
ホ　薬剤、芳香剤等を塗布吸収させその効能を持続させることが可能である。
【０００４】
【課題を解決するための手段】
吸湿、吸臭性と適度の弾力性をもつ素材で足指にはめこむリングを作り衛生的な処置を行なう。
そのリングのサイズを２種類（Ｓサイズ、Ｌサイズ）として足の親指と他の指にフィットし　かつ簡便に装着出来るようにする。
リングの色彩をカラフルにして足指先のアクセサリー品としても兼用出来るようにする。
本発明は以上の構成よりなるアクセサリー品を兼ねた足指の衛生具である。
【０００５】
【発明の実施の形態】
イ　吸湿、吸臭性と適度の弾力性をもつ素材で作られた衛生的でカラフルなリングを提供する。
ロ　必要に応じ
【図２】の様に中足陥凹部にはめこむ。
ハ　薬剤芳香剤は患部に直接又はリングに塗布吸収させ使用する。
【０００６】
【発明の効果】
本発明を使用することにより水虫等の治療、靴の中の脱臭脱湿又は芳香の効果を高めると共に足指先のアクセサリーを兼ねて利用することが可能である。
【図面の簡単な説明】
【図１】リングの平面図
【図２】リングの装着例
例１
例２
【符号の説明】
（１）リング（Ｌサイズ）
（２）リング（Ｓサイズ）
【図１】
2004097759.tif 000003
【図２】
2004097759.tif 000004
(57)【要約】【課題】歯ブラシのヘッド面からの毛の方向が直角（垂直）のみであることはブラッシングの際、磨きにくい歯と歯の間や歯と歯肉の間等の狭いところの汚れに対して一方向からしか攻撃出来ないため、磨く力が減少している。その上、毛の長さが一定であるため狭いところで毛先が団子になり、奥まで毛先が届かず毛先が当らないところができる。【解決手段】歯ブラシのヘッドに取り付けられている毛が、ヘッドの面に対して直角（垂直）方向だけでなく、約６０度の斜め方向に、そして逆の約１２０度の斜め方向にそれぞれ方向の異なるグループごとに配置、固定する。【選択図】　図１
2004097760.tif 000002
【特許請求の範囲】
【請求項１】
歯ブラシのヘッドに取り付けられている毛が、ヘッドの面に対して直角（垂直）方向だけでなく約６０度の斜め方向に、そして逆の約１２０度の斜め方向にそれぞれ方向の異なるグループごとに配置、固定された斜ブラシ。
【発明の詳細な説明】
【０００１】
【発明の属する技術分野】
この発明はブラッシングの際、磨きにくい歯と歯の間や歯と歯肉の間等の狭いところもきれいに磨くことの出来る歯ブラシである。
【０００２】
【従来の技術】
従来の歯ブラシは、全てヘッド面からの毛の方向が直角（垂直）のものしか存在していない。そのため、汚れを落とす効果の少ない構造になっている。
【０００３】
【発明が解決しようとする課題】
歯ブラシのヘッド面からの毛の方向が直角（垂直）のみであることはブラッシングの際、磨きにくい歯と歯の間や歯と歯肉の間等の狭いところの汚れに対して一方向からしか攻撃できないため、磨く力が減少している。
その上、毛の長さが一定であるため狭いところで毛先が団子になり、奥まで毛先が届かず毛先が当らないところができる。
当発明は、これらの欠点を解決する為になされるものである。
【０００４】
【課題を解決するための手段】
今、その手段の一例を図によって説明すると、歯ブラシのヘッド面からの毛の方向が、直角（垂直）方向と、約６０度の斜め方向と、そして逆の約１２０度の斜め方向の三方向にグループごとに別れて固定されている。（図１．図２．図３．図４．図５）
なお、このグループの配置は、各人の歯プラシを動かす方向等によって数種類想定できる。その上、約６０度の斜め方向と逆の約１２０度（図３．図５）の二種類の組合せも考慮しておきたい。
【０００５】
【発明の実施の形態】
以下、本発明の実施の形態について説明する。
中心の毛の方向が直角（垂直）になっている部分のブラッシング時の作用は従前の歯プラシの効果と同等であるが、図３．図５に示すように斜めに固定された毛のブラッシング時の働きは、図７に示すように斜めに固定された毛の長さが直角（垂直）に固定された毛より長い分、狭いところの奥まで毛先が進入することができる。
その上、狭いところの面の汚れに対しての攻撃角度が直角に近くなりそのため汚れを落とす力が大きくなる。そして、汚れに対していろいろな角度からの攻撃が可能になるため、ブラッシングの効率も高くなる。
【０００６】
【発明の効果】
本発明の斜ブラシを使用することにより、
▲１▼ブラッシングの効果が大きいため磨く時間が短くてすむ。
▲２▼歯槽膿漏がなおる。
▲３▼口臭もだんだん消える。
▲４▼ネバ菌を取り除くことができる。
▲５▼歯垢を取り除くことができる等、歯と歯ぐきの病気を防ぐことができ多くの効果が得られる。
【図面の簡単な説明】
【図１】本発明の斜視図である。
【図２】本発明の上から観た拡大図である。
【図３】本発明のＡ−Ａ断面図である。
【図４】本発明のＢ−Ｂ断面図である。
【図５】本発明のＣ−Ｃ断面図である。
【図６】ふつうの歯ブラシの使用状態を上から見た図である。
【図７】本発明の斜ブラシの使用状態を上から見た図である。
【図１】
2004097760.tif 000003
【図２】
2004097760.tif 000004
【図３】
2004097760.tif 000005
【図４】
2004097760.tif 000006
【図５】
2004097760.tif 000007
【図６】
2004097760.tif 000008
【図７】
2004097760.tif 000009
(57)【要約】【課題】ザルを使用して水切りをする際、ザルの底部のスタンドを立てることによって、素早く充分に水切りができるザルを提供する。【解決手段】ザル（１）の底部に、スタンド（２）を設けたことを特徴とする。【選択図】　図４
2004097755.tif 000002
【特許請求の範囲】
【請求項１】
ザル（１）の底部に、スタンド（２）を設け、スタンド（２）を起こすと水切りをスムーズに行うことができる、水切りスタンド付きザル。
【発明の詳細な説明】
【０００１】
【発明の属する技術分野】
この発明は、料理に使用する食材の水きりザルの底部にスタンドを付けることによって、スムーズに水切りを行うことに関するものである。
【０００２】
【従来の技術】
従来より「ザル」を使っての水切りは行われているが、水切り後、ザルを傾けるとまだ残っていた水分が滴り、充分に水切りを行うことができなかった。
【０００３】
【発明が解決しようとする課題】
これは次のような欠点があった。
イ．水切り後、ザルを傾けるとまだ残っていた水分が滴り、充分に水切りを行うことができなかった。
ロ．素早く、充分に水切りを行うため、ザルの底部に台などを挟みザルを傾けると、滑って落ちてしまうことが多かった。
本発明は、以上の欠点を解決するためになされたものである。
【０００４】
【課題を解決するための手段】
ザル（１）の底部に可動式スタンド（２）を設ける。
本発明は、以上の構成よりなる水切りスタンドである。
【０００５】
【発明実施の形態】
以下、本発明の実施の形態を説明する。
（イ）ザル（１）の底部にスタンド（２）を取り付ける。
（ロ）スタンド（２）は、コの字状の枠体（２ａ）の先端両角に脚部（２ｂ）を垂下させて設けることにより構成され、枠体（２ａ）の根元をザル（１）の底部両側に設けられた取り付け穴（３）に半回転自在に取り付ける。
（ハ）スタンド（２）は、ザル（１）の底部の取り付け穴（３）を支点として、左右に半回転可動し、ザルの傾斜角度（４）をつくる。
本発明は、以上の構成よりなりたっている。
本発明を使用するときは、次のように素早く、充分に水切りを行うことができる。
図２に示すように、ザル（１）の底部の外周に２箇所の取り付け穴（３）をつくる。そこにスタンド（２）を付ける。図４に示すように、ザルの中に水切りする食材などを入れた後、スタンド（２）を、取り付け穴（３）を支点に反対方向に可動させる。すると傾斜角度（４）ができる。この結果、水切りが素早く簡単にできる。
また、スタンド（２）は、可動式なので必要に応じて立てたり、閉まったりできる。
【０００６】
【発明の効果】
本発明を使用することによって、ザルを使用し水切りをする際、素早く簡単に水を切ることができる。しかも、使用方法、製造方法がとても簡単である。
【図面の簡単な説明】
【図１】本発明の裏面斜視図
【図２】本発明の斜視図
【図３】本発明の要部斜視図
【図４】本発明の使用状態を示す斜視図であって（イ）はスタンドをたたんだ状態（ロ）はスタンドを起こした状態を示す
【符号の説明】
１　ザル
２　スタンド
２ａ　コの字状の枠体
２ｂ　脚部
３　取り付け穴
４　傾斜角度
【図１】
2004097755.tif 000003
【図２】
2004097755.tif 000004
【図３】
2004097755.tif 000005
【図４】
2004097755.tif 000006
(57)【要約】【課題】催し物、宣伝広告などで玩具の風船を一時に大量に膨らませて使用する場合、多大の労力と時間を必要とする。又、遊園地などのお土産として膨らんだ風船を持ちかえる時、人ごみ、電車の中などで邪魔になる。さらに小さな子供が膨らませるのは困難な場合がある。【解決手段】圧縮気体の入った容器と風船を簡単に開閉出来る弁を介してつないでおき、必要な時に弁を開いて風船を膨らませる。【選択図】図１
2004097753.tif 000002
【特許請求の範囲】
【請求項１】
圧縮気体入りの容器、気体を充填することにより膨らむ風船及び両者を結ぶ気体の通路を開閉可能にした弁からなる圧縮気体容器付き風船
【発明の詳細な説明】
【０００１】
【発明の属する技術分野】
玩具、広告媒体・催し物等で装飾等に用いる風船に関する。
【０００２】
【従来の技術】
風船はゴムまたは合成樹脂製の袋に充填気体を入れる口を設けたものであり、従来は空気を充填する場合は人の口、自転車用空気入れ、圧縮空気入りの大きな容器又はコンプレッサー等を使い、空中に浮かばせるために比重の小さい例えばヘリウムのような特殊な気体を充填する場合は圧縮気体の入った大きな容器から充填していた。
【０００３】
【発明が解決しようとする課題】
従来の技術では、催し物等で一時に大量の風船を必要とする時、大きな圧縮気体入り容器から一つずつ気体を風船に充填しなければならず、長い時間又は大勢の人を必要とした。又催し物の会場と離れた場所で予め膨らませて運ぶには容積が大きくなってしまい困難を伴った。そのために催し物会場に圧縮気体入り容器を使用の前に持ち込んで充填作業をしなければならなかった。又、遊園地等でお土産に購入しても帰り道に荷物になり、電車に乗ったりする時には邪魔になったり、途中で空中に飛んでいって無くしたり、人ごみの中で破裂して周囲に迷惑をかけたりする心配があった。又、子供が口で空気を入れようとする時、肺活量など身体的能力の制約で膨らませることが出来ない可能性もあった。
【０００４】
【課題を解決するための手段】
以上の課題を解決するために、請求項１の発明は、風船を所要の大きさに膨らませるために必要な量の気体を圧縮して小さな容器に収めて、開閉可能な弁の入り口側に取りつけ、弁の出口側に風船を取りつけたことを特徴とする圧縮気体容器付き風船である。
【０００５】
【発明の実施の形態】
この発明の一実施形態を図１〜図２に示す。共に断面を示し、図１は風船を膨らませる前の状熊を示し、図２は弁を操作して風船を膨らませた状態を示す。図１で圧縮気体２の入った圧縮気体容器１は、結合ネジ４で弁本体３に結合されている。圧縮気体２は弁本体３の入り口通路１０を満たし、圧縮バネ７の力で弁本体３と、開閉ロッド５に設けた弁座６で閉じ込められている。この状態では、伸縮可能な材料で出来た風船固定リング９で弁本体３に取りつけられた風船８には圧縮気体２が入らず縮んだままである。図２に示すように弁本体３に設けた開閉ロッド５を押しこむと圧縮気体２は開いた弁座６を通して入り口通路１０から、出口通路１１を通って風船８を膨らませる。
【０００６】
【実施形態の効果】
この実施形態によれば、弁の操作により容易に風船を膨らませることが出来る。
【０００７】
【他の実施形態】
図１、図２の実施形態では弁の開閉ロッドを押しこむことにより、風船を膨らませたが、他の実施形態では、入り口通路と出口通路の間の開閉を他の手段、例えばネジの回転による弁座の上下、穴の開いたボールの回転などによっても良い。さらに、他の実施形態では、圧縮気体容器は弁本体と一体に構成しても良い。又、他の実施形態では、膨らませた後、風船の口の部分をヒモ等で結んで閉じ弁本体から外して使用し、圧縮気体容器と弁を再利用することも出来る。
【０００８】
【発明の効果】
以上説明したように、この発明によれば、圧縮気体容器に入った圧縮気体を用いて簡単な弁の操作により風船を膨らませることが出来るので小さな子供でも容易に風船を膨らませることが出来、又、一時に多数の風船を必要とする時も、必要とする場所で特別の道具等無しに短い時間で用意出来る。さらに、催し物等で大勢の人に同時に膨らませてもらう等のことが出来る。
【０００９】
【図面の簡単な説明】
【図１】この発明の一実施形態を示す断面図で、風船を膨らませてない状態を示す。
【図２】この発明の一実施形態を示す断面図で、風船を膨らませた状態を示す。
【符号の説明】
１　圧縮気体容器　　　　　　　　　２　圧縮気体
３　弁本体　　　　　　　　　　　　４　結合ネジ
５　開閉ロッド　　　　　　　　　　６　弁座
７　圧縮バネ　　　　　　　　　　　８　風船
９　風船固定リング　　　　　　　　１０　入り口通路
１１　出口通路
【図１】
2004097753.tif 000003
【図２】
2004097753.tif 000004
(57)【要約】【目的】本発明は、周囲の騒音を軽減し快適に睡眠できる環境を作り出す、電子式快眠具を提供する。【構成】騒音を検出するマイク（１）と音波を放出するスピーカー（２）検出入力の反対の位相の信号を作り出す電子回路（３）それらを取り付けるベッド（４）で構成される。【選択図】　図２
2004097758.tif 000002
【特許請求の範囲】
【請求項１】
ベッド（４）に、マイク（１）と、スピーカー（２）電子回路（３）を取り付け、ベッド周囲の騒音を軽減し、安眠しやすい環境を作り出す、電子式快眠具に関するものである。
【請求項２】
ついたて（５）に、マイク（１）と、スピーカー（２）電子回路（３）を取り付け、周囲の騒音を軽減し、安眠しやすい環境を作り出す電子式快眠具に関するものである。
【請求項３】
まくら（６）に、マイク（１）と、スピーカー（２）電子回路（３）を取り付け、周囲の騒音を軽減し、安眠しやすい環境を作り出す、電子式快眠具に関するものである。
【発明の詳細な説明】
【０００１】
【産業上の利用分野】
本発明は、周囲の騒音を軽減し安眠しやすい環境を作り出す、電子式快眠具に関するものである。
【０００２】
【従来の技術】
従来、病院や旅館において同室で就寝する他人のいびきや、自宅でも周囲の騒音で安眠できない事があった。
【０００３】
【発明が解決しようとする課題】
本発明は、電子回路の働きで騒音等を軽減するシステムを、寝具等に取り付ける事により、安眠しやすい環境を作り出す、電子式快眠具の提供を目的とするものである。
【０００４】
【課題を解決する為の手段】
本発明は、図１に示す様な、概念で構成され周囲の騒音を軽減するシステムを寝具等に組み込んだものである。
【０００５】
【作用】
本発明は、上記の手段を講じたので、就寝する周囲の騒音を軽減する事ができ安眠しやすい環境を提供する事ができる。
【０００６】
【実施例】
以下、本発明の実施例を図面に従って説明する。
【０００７】
図２に示す実施例は、ベッド（４）の上部、人が寝たときの頭にあたる付近に周囲の騒音を検出する為のマイク（１）と、騒音を打ち消す為のスピーカー（２）電子回路（３）を設置したものである。
【０００８】
ベッド周囲の騒音はマイク（１）で検出され電子回路（３）へ送られる。
【０００９】
電子回路（３）では、マイク（１）より入力した信号の逆位相の信号を作り出しスピーカー（３）より放出する。
【００１０】
スピーカー（３）より放出された音波は、周囲の騒音と逆位相のため、音が打ち消しあい騒音が軽減する。
【００１１】
図３に示す実施例は、和室などで布団を使用する場合に、人の頭にあたる部分の周辺に、ついたて（５）を置き、その中にマイク（１）スピーカー（２）電子回路（３）を組み込んだ例である。
【００１２】
動作については、図２に示したものと同様である。
【００１３】
図４に示す実施例は、まくら（６）にマイク（１）スピーカー（２）電子回路（３）を組み込んだものである。
【００１４】
動作については図２に示したものと同様である。
【００１５】
【発明の効果】
本発明により、他人のいびきや周囲の騒音で、睡眠を妨げられる事が無くなり快眠しやすい環境を作り出す事ができる。
【図面の簡単な説明】
【図１】本発明の概念を示す、系統図である。
【図２】本発明の第一実施例を示す系統図である。
【図３】本発明の第二実施例を示す系統図である。
【図４】本発明の第三実施例を示す系統図である。
【符号の説明】
１・・マイク
２・・スピーカー
３・・電子回路
４・・ベッド
５・・ついたて
６・・まくら
【図１】
2004097758.tif 000003
【図２】
2004097758.tif 000004
【図３】
2004097758.tif 000005
【図４】
2004097758.tif 000006
(57)【要約】【課題】フックに掛けるとカップの口が斜め下を向くので、衛生的で水切れの良い手つきカップを提供する。【解決手段】カップ本体（１）の持ち手（２）の下部分に区切り（３）を作ることで、小さな穴（４）を設けたことを特徴とする。【選択図】　図１
2004097754.tif 000002
【特許請求の範囲】
【請求項１】
カップ本体の持ち手の下部に、小さく区切ったフック掛けの穴を設けたことを特徴とする手つきカップ。
【発明の詳細な説明】
【０００１】
【発明の属する技術分野】
この発明は、フックに掛けるとカップの口が斜め下を向くように、持ち手の下部に小さく区切ったフック掛けの穴を設けた、衛生的で水切れの良い手つきカップに関するものである。
【０００２】
【従来の技術】
従来、手つきカップは、持ち手そのものをフックに掛けることで用を足していた。
又、水切れの良いものとして、壁面に吸盤のついた受け手を取り付け、そこに下向きにしたカップの持ち手をはさみ込んで水を切るものがあった。
【０００３】
【発明が解決しようとする課題】
これは次のような欠点があった。
（イ）　持ち手そのものをフックに掛けるものは、カップの口は自ら斜め上を向くので水切れが悪く、中に水が残ってしまったり，ほこりも入るので不衛生である。
（ロ）　吸盤のついた受け手にはさみ込むタイプは、吸盤はつるつるした面にしか取り付けられない上、そのカップ専用に出来ているので、使用場所やデザインも限定されてしまう。
本発明は、これらの欠点を除くためになされたものである。
【０００４】
【課題を解決するための手段】
カップ本体の持ち手の下部分に区切りを作ることにより、小さな穴を設ける。
本発明は、以上のような構成から成る手つきカップである。
【０００５】
【発明の実施の形態】
以下、本発明の実施の形態について説明する。
カップ本体（１）の持ち手（２）の下部分に小さく区切り部分（３）を作ることにより、小さな穴（４）を設ける。
本発明は、以上のような構成より成っている。
本発明を使用するときは、本発明のカップ本体（１）の持ち手（２）の下部分に設けた小さな穴（４）をフック（７）に掛ければよい。それによって、カップの底部（６）は自ら斜め上側になり、カップの開口部（５）は斜め下を向くことになるので、水切れが良く、すぐ乾くし、ほこりも入らないので衛生的である。
【０００６】
【発明の効果】
（イ）　フックに掛ける穴を、カップ本体の重心の低い位置に設けることで、フックに掛けるだけで、カップの開口部が斜め下を向くので、水切れが良く、すぐ乾くし、ほこりも入らないので衛生的である。
（ロ）　掛けるフックは、本発明の小さな穴に通るものなら、たとえ釘であっても使用出来るので、使用場所が限定されない。
（ハ）　本発明は、カップの持ち手に工夫を加えたものであるが、普通の手つきカップとしても何ら違和感なく使用出来、むしろデザインとしても美的効果をもたらす。
【図面の簡単な説明】
【図１】本発明の斜視図
【図２】本発明の使用状態を示す斜視図
【図３】従来品の使用状態を示す斜視図
【図４】市販されている改良品の使用状態を示す斜視図
【符号の説明】
１、１ａ　カップ本体
２、２ａ　持ち手
３　　　　区切り部分
４　　　　穴
５　５ａ　開口部
６　６ａ　底部
７　　　　フック
８　　　　吸盤
９　　　　保持部
【図１】
2004097754.tif 000003
【図２】
2004097754.tif 000004
【図３】
2004097754.tif 000005
【図４】
2004097754.tif 000006
(57)【要約】【課題】腕時計革バンドが汗などにより劣化するのを防ぐと伴に、腕時計革バンドの装着感を改善すること。【解決手段】保護用バンド本体の一端に、腕時計革バンドの遊帯に差し込むヘラ状固定部と、他端に腕時計革バンドを通す輪状固定部を有し、ヘラ状固定部と輪状固定部により保護用バンド本体を腕時計革バンドの裏面に固定できるようにした腕時計革バンド保護用バンドである。【選択図】　　図１
2004097761.tif 000002
【特許請求の範囲】
【請求項１】
保護用バンド本体（１）の一端に、腕時計革バンドの遊帯（６）に差し込むヘラ状固定部（２）と、他端に腕時計革バンド（５）を通す輪状固定部（３）を有し、ヘラ状固定部（２）と輪状固定部（３）により保護用バンド本体（１）が腕時計革バンド（５）の裏面に固定されることを特長とする腕時計革バンド保護用バンド
【請求項２】
輪状固定部（３）を２個設けた請求項１記載の腕時計革バンド保護用バンド
【請求項３】
保護用バンド本体（１）の皮膚接触面に凹凸（４）を設けた請求項１ないし２のいずれかに記載の腕時計革バンド保護用バンド
【請求項４】
材質としてトルマリンを配合した請求項１ないし２ないし３のいずれかに記載の腕時計革バンド保護用バンド
【発明の詳細な説明】
【０００１】
【発明の属する技術分野】
本発明は、腕時計革バンドの裏面に固定し、汗などにより革バンドが劣化するのを防ぐと伴に、通気を良くして装着感を改善させる腕時計革バンド保護用バンドに関するものである。
【０００２】
【従来の技術】
従来、腕時計の革バンドは、装着時直接皮膚に接するため、汗などのため革バンドが劣化したり、悪臭が発生することがあった。また、通気が悪く蒸れやすかった。
【０００３】
【発明が解決しようとする課題】
腕時計革バンドの耐久性を高めると伴に、腕時計革バンドの装着感を改善すること。
【０００４】
【課題を解決するための手段】
本発明は、保護用バンド本体の一端に、腕時計革バンドの遊帯に差し込むヘラ状固定部と、他端に腕時計革バンドを通す輪状固定部を有し、ヘラ状固定部と輪状固定部により保護用バンド本体を腕時計革バンドの裏面に固定できるようにした腕時計革バンド保護用バンドである。
【０００５】
【実施例】
図１、図２、図３に本発明の実施例を示す。保護用バンド本体１の一端に、腕時計革バンドの遊帯６に差し込むためのヘラ状固定部２と、他端に腕時計革バンド５を通すための２個の輪状固定部３を有し、保護用バンド本体１の皮膚接触面に凹凸４を設けた腕時計革バンド保護用バンドである。図２、図３は、ヘラ状固定部２と２個の輪状固定部３により、保護用バンド本体１を腕時計革バンド５の裏面に固定した際の形態である。材質としては、ウレタンなどの、弾力性があり腕になじむものが適当である。また、トルマリンを配合することで、健康にも良い。
【０００６】
【発明の効果】
本発明の腕時計革バンド保護用バンドを腕時計革バンドの裏面に固定することにより、腕時計革バンドが直接皮膚に接しないため、汗などにより革バンドが劣化するのを防ぐことができる。また、保護用バンド本体の皮膚接触面に凹凸を設けることにより、通気が良くなり、装着時の蒸れを防ぐことができる。また、材質にトルマリンを配合することにより、健康にも期待ができる。
【図面の簡単な説明】
【図１】本発明の実施例を示す構成図である。
【図２】本発明の実施例の腕時計革バンド保護用バンドを腕時計革バンドに固定した際の平面図である。
【図３】本発明の実施例の腕時計革バンド保護用バンドを腕時計革バンドに固定した際の底面図である。
【符号の説明】
１　保護用バンド本体
２　ヘラ状固定部
３　輪状固定部
４　凹凸
５　腕時計革バンド
６　腕時計革バンドの遊帯
【図１】
2004097761.tif 000003
【図２】
2004097761.tif 000004
【図３】
2004097761.tif 000005
(57)【要約】（課題）壁面にティシュペーパー箱を取り付けるため、引き出し式の吊り下げ用の穴を開けたティシュペーパー箱を提供する。（解決手段）ティシュペーパー箱▲１▼の裏面に穴▲２▼を開け、その周囲にミシン目▲３▼を入れ、使用時にこのミシン目▲３▼を破ればフックにかける部分が外に引き出され壁にかけられるようになる。【選択図】　図１
2004097768.tif 000002
【特許請求の範囲】
【請求項１】
箱に穴を開け、その周囲にミシン目を入れておくことで使用時にはこのミシン目を破り穴の開いた部分を外に引き出すことで壁にかける部分が現れるティシューペーパー箱。
【発明の詳細な説明】
【０００１】
（発明の属する技術分野）
本発明は壁にかけることのできる引き出し式の吊り下げ用の穴をティシューペーパー箱に取り付けたものである。
【０００２】
（従来の技術）
従来は、ティシューペーパー箱を壁にかけるときには、テープや磁石、又は専用ケースによるものを使用していた。
【０００３】
（発明が解決しようとする課題）
ティシューペーパー箱の壁への取り付けにテープを使用すれば箱は固定され取りはずしができず、また見た目も汚い。磁石の使用は壁が金属に限定される。
専用ケースは購入の手間や出費などがある。
【０００４】
（課題を解決するための手段）
ティシューペーパー箱▲１▼の裏面に壁のフック▲４▼に箱をかけるための穴▲２▼を開ける。そしてその穴▲２▼の周囲にミシン目▲３▼を入れておく。使用時にはこのミシン目▲３▼を破り、穴▲２▼の面▲５▼を外に引き出す。これにより壁にフック▲４▼があればティシューペーパー箱▲１▼を壁に取り付けることに、壁の材質は問わず、また箱の取りはずしも容易となる。
【０００５】
（発明の実施の形態）
以下、本発明の実施の形態について説明する。
（イ）ティシューペーパー箱▲１▼の裏面にフック▲４▼をかける穴▲２▼を開ける。その穴▲２▼の周囲にミシン目▲３▼を入れる。
（ロ）使用時はミシン目▲３▼を破り穴▲２▼の面▲５▼を外に引き出しフック▲４▼にかける。
【０００６】
（発明の効果）
引き出し式の吊り下げ用の穴▲２▼をつけることで箱を壁にかけるときにはテープや磁石、専用ケースが不要となり手軽となった。
【図面の簡単な説明】
【図１】本発明の斜視図である。
【図２】本発明の使用状態の斜視図である。
【符号の説明】
▲１▼ティシュペーパー箱
▲２▼フックにかける穴
▲３▼ミシン目
▲４▼フック
▲５▼ミシン目で構成された面
【図１】
2004097768.tif 000003
【図２】
2004097768.tif 000004
(57)【要約】【課題】性交時の腰の負担を軽減するとともに快感を増幅させる、性交時に使用するバネを支柱にした女性の臀部を載せる台を提供する。【解決手段】（イ）一部が扇形状をなす上台１の上面に、座部２を設ける。（ロ）一部が扇形状をなす上台１の下面に、バネ脱着具３を一以上設ける。（ハ）一部が扇形状をなす下台４の上面に、バネ脱着具５を一以上設ける。（ニ）バネ６の両端に突起物７，８を取り付ける。（ホ）バネ脱着具３とバネ脱着具５は、バネ６を取り付けたとき、垂直に位置するように取り付ける。（ヘ）下台４の大きさは、上台１の大きさと同一以上にする。【選択図】　図１
2004097764.tif 000002
【特許請求の範囲】
【請求項１】
（イ）一部が扇形状をなす上台１の上面に、座部２を設ける。
（ロ）一部が扇形状をなす上台１の下面に、バネ脱着具３を一以上設ける。
（ハ）一部が扇形状をなす下台４の上面に、バネ脱着具５を一以上設ける。
（ニ）バネ６の両端に突起物７，８を取り付ける。
（ホ）バネ脱着具３とバネ脱着具５は、バネ６を取り付けたとき、垂直に位置するように取り付ける。
（ヘ）下台４の大きさは、上台１の大きさと同一以上にする。
以上のごとく構成された、バネを支柱にした女性の臀部を載せる台。
【発明の詳細な説明】
【０００１】
【発明の属する技術分野】
この発明は、性交時に使用するバネを支柱にした女性の臀部を載せる台に関するものである。
【０００２】
【従来の技術】
従来、正常位で性交を行なう場合、布団やマットレス上で行なうことが一般的だった。
【０００３】
【発明が解決しようとする課題】
これには次のような欠点があった。
（イ）布団やマットレス上での正常位の場合、男根をピストン運動させても、往復運動のみで回転運動が生じることはなく、女性を十分に満足させることが難しかった。
（ロ）正常位の場合、男根を膣内でピストン運動や回転運動などをさせようとすると、男性の腰に負担がかかり、腰の弱い男性には苦痛であった。
（ハ））正常位の場合、女性が腰や臀部を回転させようとすると、女性の腰に負担がかかり、腰の弱い女性には苦痛であった。
本発明は、これらの欠点を除くためになされたものである。
【０００４】
【課題を解決するための手段】
（イ）一部が扇形状をなす上台１の上面に、座部２を設ける。
（ロ）一部が扇形状をなす上台１の下面に、バネ脱着具３を一以上設ける。
（ハ）一部が扇形状をなす下台４の上面に、バネ脱着具５を一以上設ける。
（ニ）バネ６の両端に突起物７，８を取り付ける。
（ホ）バネ脱着具３とバネ脱着具５は、バネ６を取り付けたとき、垂直に位置するように取り付ける。
（ヘ）下台４の大きさは、上台１の大きさと同一以上にする。
本発明は、以上のごとく構成された、バネを支柱にした女性の臀部を載せる台である。
【０００５】
【発明の実施の形態】
以下、本発明の実施の形態について説明する。
（イ）一部が扇形状をなす上台１の上面に、柔らかくかつ弾力性に富む材質でできた座部２を木ネジなどでとめる。
（ロ）一部が扇形状をなす上台１の下面に、バネ６の端に取り付けられた突起物７が挿入できる穴１１と穴１１の横に孔１２が設けられたバネ脱着具３を一以上、木ネジなどでとめる。
（ハ）一部が扇形状をなす下台４の上面に、バネ６の端に取り付けられた突起物８が挿入できる穴１３と穴１３の横に孔１４が設けられたバネ脱着具５を一以上、木ネジなどでとめる。
（ニ）バネ６の両端に、バネ６の一部を巻き付けて溶接した、横に孔９，１０が設けられた突起物７，８を取り付ける。
（ホ）バネ脱着具３とバネ脱着具５は、バネ６を取り付けたとき、垂直に位置するように取り付ける。
（ヘ）下台４の大きさは、上台１の大きさと同一以上にする。
本発明は、前記のような構成になっているので、次のような手順で使用する。本発明を組み立てるにあたって、この場合、バネを４本（６ａ，６ｂ，６ｃ，６ｄ）使用し、６ｅは補助バネとする。
手順１．上台の扇形状と下台の扇形状の向きを同じにする。
手順２．バネ６ａの突起物７をバネ脱着具３の穴１１に挿入し、孔９と孔１２を合わせてピンを挿入してとめる。
手順３．バネ６ａの突起物８をバネ脱着具５の穴１３に挿入し、孔１０と孔１４を合わせてピンを挿入してとめる。
手順４．バネ６ｂ，６ｃ，６ｄも同様にしてとめる。
手順５．男性がひざまずく方向に、下台の扇形状を向ける。
手順６．女性が上向きに寝た場合、座部２に臀部を載せるので、上半身が苦しくならないように布団などを敷いて、上半身の高さを調整する。
手順７．女性は上向きに寝て座部２に臀部を載せて両足を広げる。
手順８．男性はひざまずくなどして、男根を膣内に挿入する。
手順９．男性は座部２に手を当てて座部２を軽く動かす。
手順１０．体重によっては座部２が大きく沈み、性交に不具合が生じる場合は、補助バネ６ｅを加え、座部２が大きく沈みにくくする。
【０００６】
【発明の効果】
本発明を使用することによって、次のような効果を生む。
（イ）正常位の場合、男性が座部２に手を当てて座部２を軽く動かすと、バネ独特の動きによって座部２が回転運動し、女性の臀部もそれに伴った動きをするようになり、男根がピストン運動をしなくても膣内に与える刺激が複雑多岐になり、女性を十分に満足させることができやすくなる。
（ロ）正常位の場合、男根がピストン運動をしなくてもよいので、男性の持続時間が長くなり、女性を十分に満足させることができやすくなる。
（ハ）正常位の場合、男根がピストン運動をしなくてもよいので、男性の腰の力を余り要しなくなるため、男性の腰に負担がかかりにくくなり、腰の弱い男性でも快感を得られやすくなる。
（ハ）正常位の場合、女性が自ら腰や臀部を回転させる必要がなくなるので、女性の腰に負担がかかりにくくなり、腰の弱い女性でも快感を得られやすくなる。
（ニ）下台４の大きさは、上台１の大きさと同一以上にしているので、台の安定度、安全度が増す。
（ホ）下台の一部を扇形状にしてあるので男性は膝が下台に当たりにくくなる。
【０００７】
【他の実施例】
本発明でのバネを５本使用する場合は、バネの取り付け位置を図５のように配置するが、図６のように配置してもよい。
【０００８】
本発明のバネを、バネの入った蛇腹にしてもよい。
【図面の簡単な説明】
【図１】バネを４本使用した本発明の正面図である。
【図２】本発明のバネの説明図である。
【図３】本発明の上台に取り付けるバネ脱着具の説明図である。
【図４】本発明の下台に取り付けるバネ脱着具の説明図である。
【図５】バネを５本使用した場合のバネ脱着具の配置図である。
【図６】バネを５本使用した場合の他の実施例を示すバネ脱着具の配置図である。
【図７】本発明の上台の平面図である。
【符号の説明】
１　上台　　　２　座部　　　３　バネ脱着具　　　４　下台
５　バネ脱着具　　　６　バネ　　　７　突起物　　８　突起物
９　孔　　　１０　孔　　　１１　穴　　　１２　孔
１３　穴　　　１４　孔
５ａ，５ｂ，５ｃ，５ｄ，５ｅ・・バネ脱着具
【図１】
2004097764.tif 000003
【図２】
2004097764.tif 000004
【図３】
2004097764.tif 000005
【図４】
2004097764.tif 000006
【図５】
2004097764.tif 000007
【図６】
2004097764.tif 000008
【図７】
2004097764.tif 000009
(57)【要約】　　　（修正有）【課題】排水，水切れの良い衛生的な流し用水切りを提供する。【解決手段】水切りの右側の底を３ｍｍ下げて傾斜させる、右側の底に排水口１を付けて、ビニイルホウス２を取付ける、内側の水切りの底の面４を山形にする。【選択図】図１
2004097763.tif 000002
【特許請求の範囲】
【請求項１】
流し用水切り．は食器等を洗い入れる、下に水が貯まる、夏など食器等が乾くのと、貯まり水が蒸発して食器に付くのと、残りの貯まり水が臭くなるので、衛生に良くない、其で水切りの底に水を排水する用にした、ビニイルホウスを現場に合わせて使用する、此を皆様に提供する。
【請求項２】
流し用水切り．は食器等を洗い入れる、先に洗った食器は水平に成る為に水切れが悪い、底の面を山形にする事で解決する、此を皆様に提供する。
【発明の詳細な説明】
【０００１】
【発明の属する技術分野】
本発明は、流し用水切りで有る。従来の底を３ｍｍを傾斜にして、底の部分に排水口を設けて、其の排水口にビニイルホウスを取付ける、ホウスの長さは現場に合わせる、水も綺麗に排水出来る、内側の水切りの底の面を傾斜にする事で、食器等綺麗に乾燥する。
【０００２】
【発明が解決しようとする課題】
本発明は、流し用水切りで有る。食器等先に洗った食器は水平に成る為に水切れが悪い為で有る、其と底に水が貯まり、毎日水を開けると良いが、なかなか開けない、水は蒸発もするが腐ったりして、たまに洗うとぬるぬるして居る、不衛生で有る。
【０００３】
【課題を解決するための手段】
本発明は、流し用水切りで有る。水切りの外箱の右側３ｍｍ下げて傾斜にする、右側に排水口を取付けて、ビニイルホウスを差し込み排水する、内カゴは真中を山形にして食器等の水切りを良くする。
【０００４】
【発明の実施態様】
以下、本発明の一実施例を図を参照して説明する。流し用水切りは貯まり水を排水する事と、内カゴの真中を山形にして食器等を水切り良くした物で有る。
１．水切りの外箱の底に排水口を付けた物で有る。
２．ビニイルホウスで、現場に合わせて長さを切って、排水口に差し込む。
３．流し用水切りの外箱で有る。
４．内カゴの真中を山形にして、食器等を水切り良くした。
５．排水で有る、流しの中に落ちる用にする。
６．水道の蛇口で有る。
７．流しで有る。
８．流しの排水で有る。
９．右側足の高さ７ｍｍで有る。
１０．左側足の高さ１０ｍｍで有る。外箱の底を右下がりにす。
【発明の効果】
請求項１記載の本発明は、流し用水切りは、傾斜を主として水貯まりを無くする事で、衛生に効果大で有る、此を皆様に提供する。
【図面の簡単な説明】
【図１】本発明の一実施例を示す、流し用水切り回りの図面で有る、少し傾斜にして水を貯めない用にした、衛生に大変良くなった、此を皆様に提供する。
【図１】
2004097763.tif 000003
(57)【要約】｛課題｝複雑な止め具を使用せずにノートパソコンの保持を可能とする、スタンド装置等に接合することを前提とした、仰臥用ノートパソコンスタンドを提供する。｛解決手段｝１ａをスライド可能に取り付けた１ｂを平面部を設けたスタンド棒Ｚにスライド可能に設置し、ねじ１ｃで固定する。上記と一対をなすようにスタンド棒Ｚに２ａ、２ｂ、２ｃを設置する。さらにスライド可能なノートパソコン固定部材１ｅ，１ｄ，２ｅ，２ｄ、を所定の位置に設けた仰臥用ノートパソコンスタンドのスタンド棒Ｚをスタンド装置等に接合する。【選択図】　図１
2004097767.tif 000002
【特許請求の範囲】
【請求項１】
ノートパソコン保持ステーをスライド可能に設置にした接合部材を平面部を設けたスタンド棒上に同様で一対となるようスライド可能にそれぞれ設置するとともに所定の位置にノートパソコン固定部材を設け、前記スタンド棒をスタンド装置等に接合することを前提として使用すること
を特徴とする仰臥用ノートパソコンスタンド。
【請求項２】
ノートパソコンの折りたたみ接合部の溝及び外枠部分を載置しする固定台を備えることを特徴とする請求項１記載のの仰臥用ノートパソコンス
タンド。
【発明の詳細な説明】
【０００１】
｛発明の属する技術分野｝
本発明は、仰臥状態でノートパソコンの保持を可能な仰臥用ノートパソ
コンスタンドに関するものである。
【０００２】
｛従来の技術｝
なし
【０００３】
｛発明が解決しようとする課題｝
ノートパソコンはさまざまな形状や大きさがあり、スイッチやキーボードの位置もそれぞれに異なるため、ノートパソコンを仰臥状でスタンド
に設置不可能だった。
【０００４】
本発明は、キーボードや各スイッチ等に接触することなく、仰臥状態で
使用するノートパソコンスタンドを提供することを課題とする。
【０００５】
｛課題を解決するための手段｝
ノートパソコン保持ステーをスライド可能に設置にした接合部材を平面部を設けたスタンド棒上に同様で一対となるようスライド可能にそれぞれ設置するとともに所定の位置にノートパソコン固定部材を設け、前記スタンド棒をスタンド装置等に接合することを前提として使用すること
を特徴とする仰臥用ノートパソコンスタンドを使用する。
【０００６】
｛作用｝
本発明による仰臥用ノートパソコンスタンドでは、スタンド棒とノートパソコン保持ステーに設置したノートパソコン固定部材が、伏せた状態のノートパソコンの溝部分を載置することによりノートパソコンが固定
されることになる。
【０００７】
｛発明の実施の形態｝
以下本発明の実施形態を添付図に基づいて説明する。図１は本発明の一実施形態による仰臥用ノートパソコンスタンドを備えたスタンド装置を説明するための斜視図であり、図２は仰臥用ノートパソコンスタンド部拡大斜視図、図３は各部材の設定機構を示す斜視図、図４は実施背面図
である。
【０００８】
本実施形態における材料は、ノートパソコン固定部材はゴム製、それ以
外はすべて鉄製のものである。
【０００９】
以下、スタンド装置Ｘ、Ｙについて説明する。中心にスタンド棒Ｚを挿入可能な穴のあいたパイプ材Ｙを台座Ｘに溶接により接合し、スタンド
装置とする。
【００１０】
以上がスタンド装置であり、スタンド棒Ｚをパイプ材に挿入することでスタンド棒Ｚが回転可能になり見やすい位置に移動可能になる。
【００１１】
仰臥用ノートパソコンスタンドの説明は以下の通りである。図３に示したように上部をノートパソコン保持ステー２ａをスライド可能にするための溝を形成するとともに中心にねじ穴を設け、さらにスタンド棒Ｚをスライド可能な貫通穴を設けた接合部材２ｂを使用し、ねじ２ｃで固定する。スタンド棒Ｚとノートパソコン保持ステー２ａの係合部には平面部を設ける。ノートパソコン固定部材２ｄをノートパソコン保持ステー２ａに、ノートパソコン固定部材２ｅをスタンド棒Ｚにそれぞれスライド可能に設ける。前記と同様かつ一対となるように１ａ、１ｂ、１ｃ、
１ｄ、１ｅ、を設ける。
【００１２】
以上が仰臥用ノートパソコンスタンド部であり、スタンド棒Ｚをスタン
ド装置Ｙに挿入する。
【００１３】
｛実施の作用・効果｝
仰臥用ノートパソコンスタンドにおける作用等について説明する。
【００１４】
図３に示すように、スタンド棒Ｚとノートパソコン保持ステー１ａ、２ａとの係合部に平面部を設けるのは、ねじで固定した場合にノートパソコン保持ステーのスタンド棒Ｚに対しての固定が容易にかつ強度に保持
可能なためである。
【００１５】
図４に示すように、ノートパソコン保持ステー１ａ、２ａはそれぞれ接合部材１ｂ、２ｂに対してスライド可能であり、ノートパソコンの長さ
に対応可能である。
【００１６】
図４に示すように、接合部材１ｂ、２ｂはスライド棒Ｚに対してスライ
ド可能であり、ノートパソコンの幅に対応可能である。
【００１７】
図４に示すように、ノートパソコン保持ステー１ａ、２ａのノートパソコンとの係合部分はそれぞれ接合部材１ｂ、２ｂより若干内側にする。前記により、ノートパソコンの折りたたみ部及びノートパソコン下部の
外枠部分が共に固定される。
【００１８】
図４に示すように、ノートパソコン固定部材１ｅ、１ｄ、２ｅ、２ｄを設けることにより、固定位置が棒上で自由に移動可能になり同時に滑り
止めの効果も奏する。
【００１９】
｛発明の効果｝
本発明は、以上説明したように構成されるので、以下に記載されるよう
な効果を奏する。
【００２０】
複雑な止め具を使用しないため容易にノートパソコン保持が仰臥状態で
可能となる。
【図面の簡単な説明】
【図１】仰臥用ノートパソコンスタンド装置全体を示した斜視図である。
【図２】仰臥用ノートパソコンスタンド部を示した拡大斜視図である。
【図３】各部品の設定機構を示した斜視図である。
【図４】仰臥用ノートパソコンスタンドの使用状態を示す背面図である。
【符号の説明】
Ｘ　　台座
Ｙ　　パイプ材
Ｚ　　スタンド棒
１ａ　ノートパソコン保持ステー
２ａ　ノートパソコン保持ステー
１ｂ　接合部材
２ｂ　接合部材
１ｃ　ねじ
２ｃ　ねじ
１ｄ　ノートパソコン固定部材
２ｄ　ノートパソコン固定部材
１ｅ　ノートパソコン固定部材
２ｅ　ノートパソコン固定部材
【図１】
2004097767.tif 000003
【図２】
2004097767.tif 000004
【図３】
2004097767.tif 000005
【図４】
2004097767.tif 000006